(57)【要約】      （修正有）【課題】リサイクル活用を実現する収納具を提供する。【解決手段】ユニフォームシャツの前身頃又は後身頃の一部である三角形の外側面布地４と、同じ形で同じ大きさの別の内側面布地２とを重ね合わせ各辺を縫合してあり、底辺角の一方を底辺に沿って内側に折り、折った部分の底辺部分を縫合して形成され、箸１収納時には、前記折った部分の隙間に箸の一端をいれて、底辺角の他方を底辺に沿って内側に折って前記箸１の他端を覆い、底辺側から頂点角方向に向かって箸ごと巻くことによって箸１を収納する。【選択図】図１
0003151857.tif 000002
【実用新案登録請求の範囲】
【請求項１】
外側面が古着の布地であることを特徴とする収納具。
【請求項２】
ユニフォームシャツの前身頃又は後身頃の一部である三角形の外側面布地と、同じ形で同じ大きさの別の内側面布地とを重ね合わせ各辺を縫合してあり、底辺角の一方を底辺に沿って内側に折り、折った部分の底辺部分を縫合して形成され、箸収納時には、前記折った部分の隙間に箸の一端をいれて、底辺角の他方を底辺に沿って内側に折って前記箸の他端を覆い、底辺側から頂点角方向に向かって箸ごと巻くことによって箸を収納することを特徴とする箸用収納具。
【考案の詳細な説明】
【技術分野】
【０００１】
本考案は、収納具に関する。例えば、箸を収納する箸入れや小物を収納するバッグや金銭を収納する財布などの収納具に関する。
【背景技術】
【０００２】
収納具は様々なものが知られているが、例えば箸の収納具としては、プラスチック製の蓋付き箸ケースや箸自体が分解してケースを兼ねているものなどがある（特許文献１参照）。
【先行技術文献】
【特許文献】
【０００３】
【特許文献１】特開平１１−４７４４号公報（図１）
【考案の概要】
【考案が解決しようとする課題】
【０００４】
昨今、エコロジーが重視されマイ箸を持ち歩く人が増えており、その中でも、自然物のぬくもりを求め、木製の箸が注目されている。しかし、上記文献に記載された収納具では、木製の箸に細工することになりコストがかかりすぎるという問題があった。
【０００５】
また、プラスチック製の蓋付き箸ケースでは、持ち運び時に音が鳴ったりかさばったりするし、ケース自体はエコではないという問題があった。
【０００６】
したがって、本考案の目的は、収納具自体もエコロジーであることを重視し、リサイクル活用を実現する収納具を提供することにある。
【課題を解決するための手段】
【０００７】
本考案の第１の態様は、上記目的を達成するため、外側面が古着の布地であることを特徴とする収納具を提供する。
【０００８】
本考案の第１の態様によれば、古着のリサイクル活用を実現し、低コストの収納具を提供することができる。収納具には、例えば、箸を収納する箸入れや小物を収納するバッグや金銭を収納する財布などが挙げられる。
【０００９】
本考案の第２の態様は、上記目的を達成するため、ユニフォームシャツの前身頃又は後身頃の一部である三角形の外側面布地と、同じ形で同じ大きさの別の内側面布地とを重ね合わせ各辺を縫合してあり、底辺角の一方を底辺に沿って内側に折り、折った部分の底辺部分を縫合して形成され、箸収納時には、前記折った部分の隙間に箸の一端をいれて、底辺角の他方を底辺に沿って内側に折って前記箸の他端を覆い、底辺側から頂点角方向に向かって箸ごと巻くことによって箸を収納することを特徴とする箸用収納具を提供する。
【００１０】
したがって、考案の第２の態様によれば、ユニフォームシャツのリサイクル活用を実現し、低コストで高い付加価値の収納具を提供することができる。使用済みのユニフォームシャツは、シーズンが終わると通常廃棄処分になる。これを再利用して箸用収納具とすることで、エコロジーを実現できる。
【考案の効果】
【００１１】
本考案の第１の態様によれば、古着のリサイクル活用を実現し、低コストの収納具を提供することができる。
【００１２】
本考案の第２の態様によれば、ユニフォームシャツのリサイクル活用を実現し、低コストで高い付加価値の収納具を提供することができる。さらに、使い易く、製造コストが安く、コンパクトで、軽量であるため、携帯性に優れる。更には、ユニフォームの再利用であって、リサイクルによるエコロジーを実現するものである。開閉がしやすく、収納物の収納・取り出しが容易である。また、三角形の布地の一つの角を折って縫合して収納部分を形成し、部品点数の削減を図ることができる。
【図面の簡単な説明】
【００１３】
【図１】本考案の収納具の実施例１の構成を示す図である。
【図２】本考案の収納具の実施例１の製造過程を示す図である。
【図３】本考案の収納具の実施例１の使用方法を示す図である。
【考案を実施するための形態】
【００１４】
以下、本考案の収納具について、添付図面を参照して実施例を用いて本考案の好適な実施の形態を具体的に説明するが、本考案はこれらに限定されるものではない。
【実施例１】
【００１５】
図１は、本考案の収納具の実施例１の構成を示す図である。本考案の実施例１の収納具は、箸１を収納するための箸用収納具であって、三角形の外側面布地４と、同じ形で同じ大きさの別の内側面布地２とを重ね合わせ各辺を縫合してあり、底辺角の一方を底辺に沿って内側に折り、折った部分の底辺部分を縫合して形成されている。折った部分は１辺が開口部となった小さな三角形で、箸の差入部となっている。箸１は、外側面布地４を裏側にし、内側面布地２を表側にして、前記差入部に箸の先端を差し込み、底辺に平行に置く。頂点角部分には、ひも部３の一端が縫い付けられている。大きさは限定されないが、例えば、外側面布地４と内側面布地２を、底辺が約３５ｃｍ、高さが約１８ｃｍの二等辺三角形の布地とし、一方の底辺角（図１（ａ）においては左側の角）を５ｃｍほど折り返し、ひも部３が約２０ｃｍ程度であれば、２０ｃｍ前後の箸を入れるのに十分な大きさの箸用収納具となる。使用しないときは折りたためばコンパクトで薄く、邪魔にならない。
【００１６】
図２は、本考案の収納具の実施例１の製造過程を示す図である。本考案の実施例１の収納具の外側面布地４は、ユニフォームシャツ５の前身頃又は後身頃の一部である。ユニフォームシャツ５を、図２に示したように三角形に切り出して外側面布地４とする。外側面布地４には、たとえば、プロサッカーチームやプロ野球チームなどの不要となったユニフォームシャツを用いる。これにより、本実施例の収納具は、廃棄処分となるユニフォームの再利用を実現させることができる。さらに、外側面布地４には、チームカラーあるいはチーム柄が現れるので、本実施例の収納具には、チームグッズとしての価値が付与される。また、三角形にすることにより、スポンサーロゴマークなど、権利処理が困難な部分を避けつつ、選手名や背番号、胸番号などのファンにとって価値が高まる部分を含ませることができる。一つのユニフォームシャツから、箸用収納具のための外側面布地４を２〜５個程度切り出すことができる。なお、内側面布地２の種類は問わないが、例えば麻地やコットンなどを利用することができる。
【００１７】
図３は、本考案の収納具の実施例１の使用方法を示す図である。本考案の実施例１の収納具は、箸１収納時には、前記折った部分の隙間に箸１の一端をいれて、底辺角の他方を底辺に沿って内側に折って前記箸１の他端を覆い、底辺側から頂点角方向に向かって箸ごと巻くことによって箸１を収納する。巻き終わった後、ひも部３を同じ方向に巻きつけてひも部３の先端を巻きつけたひも部３にからませるなどして固定する。ひも部３の先端部にストッパーとなる玉などがあることが好ましい。ひも部３の代わりにマジックテープ（登録商標）やボタンなどで固定してもよい。
【００１８】
｛効果｝
本実施例によれば、リサイクル活用を実現する。詳細には、古着となったユニフォームシャツのリサイクル活用を実現し、低コストで高い付加価値の収納具を提供することができる。また、本実施例によれば、箸の大きさに合わせてコンパクトに収納できる。２０ｃｍ前後の箸を入れた場合に、長辺でもＡ４用紙の短辺程度で、高さも幅も小さいので、そのままハンドバッグなどに入れて携帯することができる。また、プラスチックの箸ケースなどと違い、箸とケースとがぶつかる音がしないのでスマートである。
【００１９】
なお、本考案は、上記実施の形態に限定されず、その考案の趣旨を逸脱しない範囲で種々と変形実施が可能である。また、上記各実施の形態の構成要素を考案の趣旨を逸脱しない範囲で任意に組み合わせることができる。
【００２０】
たとえば、本実施例では、箸用収納具について示したが、小物を収納するバッグや金銭を収納する財布など他の収納具でもよい。また、たとえば、本実施例では、ユニフォームシャツを使用するものについて示したが、別の種類のシャツでもよく、たとえば、有名なアーチストが着用した古着のＴシャツなどでもよい。また、シャツ以外の古着でもよい。
【符号の説明】
【００２１】
１    箸
２    内側面布地
３    ひも部
４    外側面布地
５    ユニフォームシャツ
【図１】
0003151857.tif 000003
【図２】
0003151857.tif 000004
【図３】
0003151857.tif 000005